(57)【特許請求の範囲】
【請求項１】
機器ケース内に組み込まれて機器全体を電気的に駆動するための回路基板に設けられた開口部に取り付けられるタッチ入力装置であって、
タッチ操作を検出するタッチパネルと表示装置とが一体になった入力表示パネルと、
前記回路基板に電気的に接続される接続基板と、前記入力表示パネルを駆動するための駆動素子が搭載されて前記入力表示パネルと前記接続基板とを電気的に接続するフイルム配線基板とから構成され、前記入力表示パネルと前記回路基板とを電気的に接続する接続回路部材と、
前記入力表示パネルを保持するパネル保持部および前記接続回路部材を保持する接続保持部を有して前記回路基板に着脱可能に取り付けられるホルダ部材であって、前記パネル保持部には、前記回路基板の前記開口部の縁部に係脱可能に係合する複数の固定フックが設けられ、前記接続保持部には、前記回路基板の前記開口部と反対側に位置する前記回路基板の縁部に係脱可能に係合する補助フックが設けられているホルダ部材と、
を備えていることを特徴とするタッチ入力装置。
【請求項２】
前記パネル保持部には、前記入力表示パネルを保持する補強部材が設けられていることを特徴とする請求項１に記載のタッチ入力装置。
【請求項３】
キー入力部とタッチ入力装置とが同一ケースの表面に設けられた電子機器であって、
前記タッチ入力装置を取り付けるための開口部を有し、一方の面に当該電子機器を駆動する主回路が実装され、他方の面に当該電子機器のキーに対応した接点が実装された回路基板を備え、
前記タッチ入力装置は、タッチ操作を検出するタッチパネルと表示装置とが一体になった入力表示パネルと、前記回路基板に電気的に接続される接続基板と、前記入力表示パネルを駆動するための駆動素子が搭載されて前記入力表示パネルと前記接続基板とを電気的に接続するフイルム配線基板とから構成され、前記入力表示パネルと前記回路基板とを電気的に接続する接続回路部材と、前記入力表示パネルを保持するパネル保持部および前記接続回路部材を保持する接続保持部を有して前記回路基板に着脱可能に取り付けられるホルダ部材であって、前記パネル保持部には、前記回路基板の前記開口部の縁部に係脱可能に係合する複数の固定フックが設けられ、前記接続保持部には、前記回路基板の前記開口部と反対側に位置する前記回路基板の縁部に係脱可能に係合する補助フックが設けられているホルダ部材とを備えた構成であることを特徴とする電子機器。
【発明の詳細な説明】
【技術分野】
【０００１】
この発明は、電子辞書や携帯情報端末機などの電子機器に用いられるタッチ入力装置および電子機器に関する。
【背景技術】
【０００２】
従来、携帯型の電子機器においては、特許文献１に記載されているように、入力部を有する第１ケースと表示部を有する第２ケースとをヒンジ部によって回動可能に連結し、このヒンジ部を中心に第１ケースと第２ケースとを相対的に回動させて開くと、第１ケースの入力部と第２ケースの表示部とが露出することにより、第２ケースの表示部を見ながら第１ケースの入力部を操作するように構成したものが知られている。
【特許文献１】登録実用新案第３０８５４８１号
【０００３】
この種の電子機器は、第１ケースに設けられた入力部が、アルファベットキーやテンキーなどの各種のキーを有するキー入力パネルと、表面にペンや指を接触させて移動させることにより情報を入力するタッチ入力パネルとを備えた構成になっている。
【０００４】
すなわち、この電子機器は、第１ケース内に機器全体を電気的に駆動するための各種の電子部品を搭載した回路基板が設けられ、この回路基板にキー入力パネルの各キー接点が多数設けられていると共に、この回路基板にタッチ入力パネルが電気的に接続された状態で直接取り付けられた構成になっている。
【発明の開示】
【発明が解決しようとする課題】
【０００５】
このような従来の電子機器では、各種の電子部品が搭載されてキー入力パネルの各キー接点が多数設けられた回路基板にタッチ入力パネルを電気的に接続した状態で直接取り付けるために、回路基板にタッチ入力パネルを駆動するための駆動素子を設けなければならないばかりか、タッチ入力パネルに対する接続用の電極端子を回路基板に多数設けなければならない。
【０００６】
このため、この従来の電子機器では、回路基板に各種の電子部品を全て取り付けなければならず、回路基板の実装密度が高くなり、回路基板に対するタッチ入力パネルの入力面積が制約を受け、十分に広い面積を確保でないばかりか、回路基板の構造が複雑になり、組立て作業も煩雑で、全ての電子部品を回路基板に組み付けてからでなければ、タッチ入力パネルの検査ができないため、歩留まりが悪いなどの問題がある。
【０００７】
この発明が解決しようとする課題は、回路基板に対する入力表示パネルの入力面積を十分に広くすることができ、且つ組立て作業性が良く、歩留まりの向上を図ることができるタッチ入力装置および電子機器を提供することである。
【課題を解決するための手段】
【０００８】
この発明は、上記課題を解決するために、次のような構成要素を備えている。
請求項１に記載の発明は、機器ケース内に組み込まれて機器全体を電気的に駆動するための回路基板に設けられた開口部に取り付けられるタッチ入力装置であって、タッチ操作を検出するタッチパネルと表示装置とが一体になった入力表示パネルと、前記回路基板に電気的に接続される接続基板と、前記入力表示パネルを駆動するための駆動素子が搭載されて前記入力表示パネルと前記接続基板とを電気的に接続するフイルム配線基板とから構成され、前記入力表示パネルと前記回路基板とを電気的に接続する接続回路部材と、前記入力表示パネルを保持するパネル保持部および前記接続回路部材を保持する接続保持部を有して前記回路基板に着脱可能に取り付けられるホルダ部材であって、前記パネル保持部には、前記回路基板の前記開口部の縁部に係脱可能に係合する複数の固定フックが設けられ、前記接続保持部には、前記回路基板の前記開口部と反対側に位置する前記回路基板の縁部に係脱可能に係合する補助フックが設けられているホルダ部材と、を備えていることを特徴とするタッチ入力装置である。
【００１０】
請求項２に記載の発明は、前記パネル保持部には、前記入力表示パネルを保持する補強部材が設けられていることを特徴とする請求項１に記載のタッチ入力装置である。
【００１３】
請求項３に記載の発明は、キー入力部とタッチ入力装置とが同一ケースの表面に設けられた電子機器であって、前記タッチ入力装置を取り付けるための開口部を有し、一方の面に当該電子機器を駆動する主回路が実装され、他方の面に当該電子機器のキーに対応した接点が実装された回路基板を備え、前記タッチ入力装置は、タッチ操作を検出するタッチパネルと表示装置とが一体になった入力表示パネルと、前記回路基板に電気的に接続される接続基板と、前記入力表示パネルを駆動するための駆動素子が搭載されて前記入力表示パネルと前記接続基板とを電気的に接続するフイルム配線基板とから構成され、前記入力表示パネルと前記回路基板とを電気的に接続する接続回路部材と、前記入力表示パネルを保持するパネル保持部および前記接続回路部材を保持する接続保持部を有して前記回路基板に着脱可能に取り付けられるホルダ部材であって、前記パネル保持部には、前記回路基板の前記開口部の縁部に係脱可能に係合する複数の固定フックが設けられ、前記接続保持部には、前記回路基板の前記開口部と反対側に位置する前記回路基板の縁部に係脱可能に係合する補助フックが設けられているホルダ部材とを備えた構成であることを特徴とする電子機器である。
【発明の効果】
【００１４】
この発明によれば、機器の回路基板に取り付けられるタッチ入力装置は、ホルダ部材によって入力表示パネルと接続回路部材とを安定して保持することができると共に外力に対して補強することもでき、これにより良好にユニット化を図ることができる。そして、ユニット化された状態で入力表示パネルを安定した状態で容易に検査することができ、これにより歩留まりの向上を図ることができる。また、入力表示パネルを駆動するための駆動素子を回路基板に設ける必要がないので、回路基板における部品取付スペースを広くすることができ、これにより回路基板に対する入力表示パネルの入力面積を十分に広くすることができる。さらに、ユニット化された状態でホルダ部材の固定フックと補助フックを用いて回路基板に着脱可能に取り付けて、接続回路部材を回路基板に電気的に接続すれば良いので、組立て作業性が良く、生産性の向上を図ることができる。
【発明を実施するための最良の形態】
【００１６】
以下、図１〜図１２を参照して、この発明を電子辞書に適用した一実施形態について説明する。
この電子辞書は、図１に示すように、第１ケース１と第２ケース２とをヒンジ部３によって折畳可能に連結した構成になっている。この場合、第１ケース１と第２ケース２とは、それぞれほぼ手のひらサイズで同じ大きさの薄い箱形状に形成されている。
【００１７】
第１ケース１には、図１に示すように、入力部４およびスピーカ部５が、第２ケース２に対面する第１ケース１の表面側に露呈して設けられている。この入力部４は、アルファベットなどの文字キーやファンクションキーなどの各種のキーを有するキー入力装置６と、タッチ操作によって情報を入力するタッチ入力装置７とを備えている。また、第２ケース２には、液晶表示パネルやＥＬ（エレクトロルミネッセンス）表示パネルなどの平面型の表示パネルからなる表示部８が、第１ケース１に対面する第２ケース２の表面側に露呈して設けられている。そして、これら第１、第２の各ケース１、２は、ヒンジ部３によって回動可能に連結されている。
【００１８】
これにより、この電子辞書は、ヒンジ部３を中心に第１、第２の各ケース１、２が相対的に回動して開くと、図１に示すように、第１ケース１の表面側に入力部４およびスピーカ部５が露呈すると共に、第２ケース２の表面側に表示部８が露呈し、またヒンジ部３を中心に第１、第２の各ケース１、２が相対的に回動して閉じると、第１ケース１の入力部４およびスピーカ部５が第２ケース２の表示部８に対面した状態で、第１ケース１と第２ケース２とが互いに重なり合うように構成されている。
【００１９】
ところで、第１ケース１内には、図２および図３に示すメイン回路基板９が設けられている。このメイン回路基板９の裏面（図２および図３では紙面の表面）には、機器全体を電気的に駆動するために必要な半導体チップやチップ部品などの各種の電子部品９ａ〜９ｄが搭載されている。この場合、電子部品の半導体チップとしては、ＣＰＵ（中央演算装置）９ａ、ＲＡＭ（ランダムアクセスメモリ）９ｂ、ＬＳＩ（大規模集積回路）９ｃなどであり、チップ部品９ｄとしては、コンデンサや抵抗などである。
【００２０】
また、このメイン回路基板９の裏面（図２では紙面の表面）における手前側の中間部分には、入力部４のタッチ入力装置７が設けられており、その一端部側（図２では右端部側）には、スピーカ部５のスピーカ５ａが設けられているほか、メイン回路基板９の表面（図２では紙面の裏面）には、図示しないが、入力部４におけるキー入力装置５のキー接点が各キーに対応して多数設けられている。
【００２１】
この場合、メイン回路基板９の手前側部分には、図３に示すように、タッチ入力装置７の一部（後述する入力表示パネル１３に対応する部分）が挿入して配置されることにより、タッチ入力装置７の一部を表面側（図２では紙面の裏面側）に露呈させるための開口部１１が設けられており、その一端部側（図３では右端部側）には、図２および図３に示すように、スピーカ部５のスピーカ５ａを配置するための切欠部１２が設けられている。
【００２２】
タッチ入力装置７は、図４に示すように、タッチパネル１６と表示装置である液晶表示パネル１７とが一体化された入力表示パネル１３と、この入力表示パネル１３とメイン回路基板９とを電気的に接続する接続回路部材１４と、入力表示パネル１３と接続回路部材１４とを保持してメイン回路基板９に着脱可能に取り付けられるホルダ部材１５とを備えている。この場合、図４は、図２のタッチ入力装置７を表裏反転させて示した図である。
【００２３】
入力表示パネル１３は、図５（ａ）および図５（ｂ）に示すように、タッチ操作された位置を検出するための光透過性を有するタッチパネル１６と、このタッチパネル１６の裏面（図５（ｂ）では下面）に配置されてタッチ入力された手書き文字の軌跡や各種情報を電気光学的に表示するための表示装置である液晶表示パネル１７と、タッチパネル１６と液晶表示パネル１７との間に配置された枠状のアイコンプレート１８とを備えている。
【００２４】
このアイコンプレート１８には、例えば、「決定」、「認識」、「リスト」、「メモ」などの機能名が印刷されており、これらの機能アイコンがタッチパネル１６を通して表面側（図５（ｂ）では上面側）に見えている。したがって、例えば、電子辞書が手書き文字の入力を受け付ける状態で、タッチパネル１６の表面（図５（ｂ）では上面）を入力ペン（図示せず）で手書き操作すると、その手書き操作に応じた軌跡が液晶表示パネル１７に電気光学的に表示され、その後アイコンの「認識」を入力ペンで触ることにより、表示された手書き文字の認識を実行するように構成されている。
【００２５】
また、接続回路部材１４は、図２、図４および図６に示すように、メイン回路基板９に電気的に接続されるサブ回路基板である接続基板２０と、この接続基板２０と入力表示パネル１３とを電気的に接続する第１、第２の各フイルム配線基板２１、２２とを備え、入力表示パネル１３とメイン回路基板９とを電気的に接続してデータの授受が行えるように構成されている。この場合、接続基板２０には、図６および図７に示すように、多数の接続電極を有する第１、第２の各電極部２０ａ、２０ｂが設けられていると共に、この第１、第２の各電極部２０ａ、２０ｂとメイン回路基板９とを電気的に接続する接続フイルム２３が取り付けられている。
【００２６】
また、第１、第２の各フイルム配線基板２１、２２は、図６および図８に示すように、それぞれフイルム基板２４と、このフイルム基板２４に搭載されて液晶表示パネル１７を駆動するためのＬＳＩなどの駆動素子２５と、この駆動素子２５の出力側端子と入力表示パネル１３の電極端子とを電気的に接続する第１配線部２６と、駆動素子２５の入力側端子と接続基板２０の第１、第２の各電極部２０ａ、２０ｂとを電気的に接続する第２配線部２７とを備えている。
【００２７】
この場合、第１、第２の各フイルム配線基板２１、２２は、図６に示すように、各駆動素子２５に対応する部分と各第２配線部２７とが接続基板２０に重なり、且つ各駆動素子２５に対応する部分が接続基板２０に設けられた各逃げ孔２０ｃ、２０ｄにそれぞれ対応して挿入された状態で、接続基板２０の第１、第２の各電極部２０ａ、２０ｂと電気的に接続され、これにより接続基板２０を介して入力表示パネル１３がメイン回路基板９に電気的に接続され、これらの間でデータの授受が行われるように構成されている。
【００２８】
一方、ホルダ部材１５は、合成樹脂からなり、図４および図９に示すように、入力表示パネル１３を保持するパネル保持部２８と、接続回路部材１４を保持する接続保持部２９とが一体に設けられ、メイン回路基板９に着脱可能に取り付けられるように構成されている。すなわち、パネル保持部２８は、長方形状の枠状に形成され、その枠内に入力表示パネル１３が補強板３０を介して配置され、この状態で、図２に示すように、メイン回路基板９の手前側部分に設けられた開口部１１内に配置されるように構成されている。
【００２９】
この場合、補強板３０は、図１１に示すように、ステンレスなどの金属板からなり、その周囲には鍔部３０ａが起立して外側に折り曲げられた状態で設けられており、その底部には多数の孔３０ｂが設けられている。この補強板３０は、図１２に示すように、パネル保持部２８の枠内の下部側に配置された際に、鍔部３０ａがパネル保持部２８の内周面に設けられた段差部２８ａに係止されることにより、パネル保持部２８の下側に抜け落ちないように配置され、この状態で入力表示パネル１３をパネル保持部２８内に保持するように構成されている。
【００３０】
接続保持部２９は、図２に示すように、メイン回路基板９に重なって配置される部分であり、図９に示すように、ほぼ平板状をなし、パネル保持部２８の上辺側に一体に設けられている。この場合、接続保持部２９は、その厚みがパネル保持部２８の厚みよりメイン回路基板９の厚みだけ薄く形成され、パネル保持部２８の上辺側における側面の下部に設けられている。この接続保持部２９には、図２、図３、図９に示すように、メイン回路基板９の電子部品９ａ〜９ｄのうち、ＣＰＵ９ａ、ＲＡＭ９ｂ、チップ部品９ｄが対応して挿入する複数の逃げ孔２９ａが設けられている。
【００３１】
これにより、ホルダ部材１５は、図２および図４に示すように、入力表示パネル１３および補強板３０が配置されたパネル保持部２８が、メイン回路基板９の開口部１１に配置されると共に、接続回路部材１４が配置された接続保持部２９が、メイン回路基板９に重なって配置されることにより、図２に示すように、パネル保持部２８に配置された補強板３０の下面（図２では紙面の表面）と接続保持部２９に配置された接続基板２０の下面（図２では紙面の表面）とがほぼ同一平面に配置され、この状態でメイン回路基板９に着脱可能に取り付けられるように構成されている。
【００３２】
この場合、パネル保持部２８の左右両側および上辺側には、図２、図９、図１０（ａ）および図１０（ｂ）に示すように、メイン回路基板９における開口部１１の縁部にそれぞれ係脱可能に係合する複数の固定フック３１、３２が設けられている。すなわち、パネル保持部２８の左右両側に位置する固定フック３１は、図１０（ａ）および図１２に示すように、パネル保持部２８の外周面における上部に設けられて、メイン回路基板９の開口部１１における縁部の上面に係脱可能に係止されるように構成されている。パネル保持部２８の上辺側に位置する固定フック３２は、図１０（ｂ）に示すように、パネル保持部２８の外周面における下部に設けられて、メイン回路基板９の開口部１１における縁部の下面に係脱可能に係止されるように構成されている。
【００３３】
また、接続保持部２９には、図２、図９、および図１０（ｃ）に示すように、メイン回路基板９の開口部１１と反対側に位置するメイン回路基板９の縁部に係脱可能に係合する補助フック３３が設けられている。この補助フック３３は、図２、図４、図９に示すように、接続保持部２９の上辺部からメイン回路基板９の開口部１１と反対側に位置するメイン回路基板９の縁部に向けて電子部品９ａ〜９ｄを避けながら延びるアーム部３３ａと、このアーム部３４の先端部に設けられたフック部３３ｂとを備え、このフック部３３ｂが図１０（ｃ）に示すようにメイン回路基板９の上辺側の縁部に沿って上方（図２では紙面の裏面側）に延びてメイン回路基板９の縁部における上面（図２では紙面の裏面）に係脱可能に係止されるように構成されている。
【００３４】
次に、このタッチ入力装置７をメイン回路基板９に取り付ける場合について説明する。
この場合には、まず、図５（ａ）および図５（ｂ）に示すように、タッチパネル１６と液晶表示パネル１７との間にアイコンプレート１８を配置させて、タッチパネル１６、アイコンプレート１８、および液晶表示パネル１７をその順で上側から順次重ね合わせる。これにより、入力表示パネル１３が構成される。
【００３５】
そして、この入力表示パネル１３と接続回路部材１４とを図６に示すように接続する。このときには、まず、図８に示すように、接続回路部材１４の第１、第２の各フイルム配線基板２１、２２をそれぞれ入力表示パネル１３に接続する。すなわち、第１、第２の各フイルム配線基板２１、２２における出力側の各第１配線部２６を入力表示パネル１３における液晶表示パネル１７の電極端子に接続する。これにより、図８に示すように、第１、第２の各フイルム配線基板２１、２２が入力表示パネル１３のタッチパネル１６および液晶表示パネル１７と電気的に接続される。
【００３６】
この状態で、図６〜図８に示すように、第１、第２の各フイルム配線基板２１、２２をそれぞれ接続回路部材１４のサブ回路基板である接続基板２０に接続する。このときには、第１、第２の各フイルム配線基板２１、２２にそれぞれ搭載された各駆動素子２５に対応する部分を、接続基板２０に設けられた各逃げ孔２０ｃ、２０ｄに挿入させて重ね合わせ、この状態で第１、第２の各フイルム配線基板２１、２２における入力側の各第２配線部２７を接続基板２０の第１、第２の各電極部２０ａ、２０ｂにそれぞれ接続する。
【００３７】
これにより、入力表示パネル１３と接続基板２０とが、図６に示すように、第１、第２の各フイルム配線基板２１、２２を介して電気的に接続される。この状態で、図１２に示すように、入力表示パネル１３の下面側に補強板３０を配置し、この補強板３０と共に入力表示パネル１３をホルダ部材１５のパネル保持部２８内に上方から配置して保持させると共に、図４に示すように、接続回路部材１４の接続基板２０と第１、第２の各フイルム配線基板２１、２２とをホルダ部材１５の接続保持部２９に配置して両面粘着テープ（図示せず）で固定する。
【００３８】
このときには、接続回路部材１４の接続基板２０と第１、第２の各フイルム配線基板２１、２２とをホルダ部材１５のパネル保持部２８内に上方から挿入させてホルダ部材１５の下側（図４では紙面の裏面側）に配置させた後、接続回路部材１４の接続基板２０と第１、第２の各フイルム配線基板２１、２２とをホルダ部材１５の接続保持部２９に配置する。この状態で、補強板３０の鍔部３０ａをパネル保持部２８の内周面に設けられた段差部２８ａに係止させることにより、補強板３０がパネル保持部２８から抜け落ちないように配置され、この補強板３０によって入力表示パネル１３がパネル保持部２８内に保持される。
【００３９】
これにより、図４に示すように、入力表示パネル１３、接続回路部材１４、ホルダ部材１５が一体化され、タッチ入力装置７がユニット化される。この状態では、入力表示パネル１３と接続回路部材１４とがホルダ部材１５に安定した状態で保持されることにより、入力表示パネル１３の検査が可能な状態になる。また、パネル保持部２８に保持された補強板３０の下面（図２では紙面の表面）と接続保持部２９に保持された接続基板２０の下面（図２では紙面の表面）とがほぼ同一平面に配置される。
【００４０】
そして、このユニット化されたタッチ入力装置７をメイン回路基板９に取り付ける場合には、タッチ入力装置７のホルダ部材１５のパネル保持部２８をメイン回路基板９の開口部１１に配置すると共に、ホルダ部材１５の接続保持部２９をメイン回路基板９に重ねて配置する。このときには、接続保持部２９の各逃げ孔２９ａにメイン回路基板９の電子部品９ａ〜９ｄのうち、ＣＰＵ９ａ、ＲＡＭ９ｂ、チップ部品９ｄに対応する部分を挿入させて配置する。
【００４１】
この状態で、ホルダ部材１５に設けられた複数の固定フック３１、３２および補助フック部３４をメイン回路基板９に係脱可能に係止させる。すなわち、パネル保持部２８の左右両側に設けられた固定フック３１を、図１０（ａ）に示すように、メイン回路基板９の開口部１１の両側に位置する縁部の上面に係脱可能に係止させる。また、パネル保持部２８の上辺側に設けられた固定フック３２を、図１０（ｂ）に示すように、メイン回路基板９の開口部１１の上辺側に位置する縁部の下面に係脱可能に係止させる。
【００４２】
さらに、接続保持部２９に設けられた補助フック３３は、図４および図９に示すように、アーム部３３ａを接続保持部２９の上辺部からメイン回路基板９の開口部１１と反対側に位置するメイン回路基板９の縁部に向けて電子部品９ａ〜９ｄを避けながら配置し、このアーム部３４の先端部に設けられたフック部３３ｂをメイン回路基板９の上辺側の縁部に沿って上方（図２では紙面の裏面側）に延びてメイン回路基板９の縁部における上面（図２では紙面の裏面）に係脱可能に係止させる。
【００４３】
これにより、ユニット化されたタッチ入力装置７がメイン回路基板９に取り付けられ、この状態で接続基板２０の接続フイルム２３をメイン回路基板９に接続することにより、メイン回路基板９と入力表示パネル１３とが電気的に接続される。この場合には、メイン回路基板９に重なって配置されるホルダ部材１５の接続保持部２９が、パネル保持部２８の厚みよりも薄く形成され、且つメイン回路基板９に搭載された電子部品９ａ〜９ｄのうち、ＣＰＵ９ａ、ＲＡＭ９ｂ、チップ部品９ｄがそれぞれ複数の逃げ孔２９ａに挿入するので、接続保持部２９をメイン回路基板９に重ねて配置しても、全体の厚みが薄く抑えられる。
【００４４】
このように、この電子辞書のタッチ入力装置７によれば、第１ケース１内に組み込まれて機器全体を電気的に駆動するためのメイン回路基板９に取り付けられるタッチ入力装置７であり、タッチ操作に応じた情報を表示して入力する入力表示パネル１３と、この入力表示パネル１３を駆動するための駆動素子２５が搭載されて入力表示パネル１３とメイン回路基板９とを電気的に接続する接続回路部材１４と、入力表示パネル１３を保持するパネル保持部２８および接続回路部材１４を保持する接続保持部２９を有してメイン回路基板９に着脱可能に取り付けられるホルダ部材１５とを備えているので、タッチ入力装置７をユニット化してメイン回路基板９に簡単に取り付けることができる。
【００４５】
すなわち、このタッチ入力装置７によれば、タッチ操作に応じた情報を表示して入力する入力表示パネル１３に、この入力表示パネル１３を駆動するための駆動素子２５が搭載された接続回路部材１４を接続し、この状態で入力表示パネル１３をホルダ部材１５のパネル保持部２８に保持させると共に、接続回路部材１４をホルダ部材１５の接続保持部２９に保持させることにより、ホルダ部材１５によって入力表示パネル１３と接続回路部材１４とを安定した状態で良好に保持することができると共に外力に対して補強することもでき、これにより良好にユニット化を図ることができる。
【００４６】
このため、このユニット化された状態で入力表示パネル１３を安定した状態で容易に且つ良好に検査することができるので、歩留まりの向上を図ることができる。また、入力表示パネル１３を駆動するための駆動素子２５をメイン回路基板９に設ける必要がないので、メイン回路基板９における部品取付スペースを広くすることができ、これによりメイン回路基板９に対する入力表示パネル１３の入力面積を十分に広くすることができる。さらに、タッチ入力装置７がユニット化された状態でホルダ部材１５をメイン回路基板９に着脱可能に取り付ければ良いので、組立て作業性が良く、生産性の向上を図ることができる。
【００４７】
この場合、メイン回路基板９に重なって配置されるホルダ部材１５の接続保持部２９は、パネル保持部２８の厚みよりも、メイン回路基板９の厚み分だけ薄く形成されており、且つこの接続保持部２９には、メイン回路基板９に搭載された電子部品９ａ〜９ｄのうち、ＣＰＵ９ａ、ＲＡＭ９ｂ、チップ部品９ｄに対応する複数の逃げ孔２９ａが設けられているので、接続保持部２９をメイン回路基板９に重ねて配置しても、全体の厚みを薄く抑えることができる。
【００４８】
また、接続回路部材１４は、メイン回路基板９に電気的に接続される接続基板２０と、入力表示パネル１３を駆動するための駆動素子２５がそれぞれ搭載されて入力表示パネル１３と接続基板２０とを電気的に接続する第１、第２の各フイルム配線基板２１、２２とを備えているので、第１、第２の各フイルム配線基板２１、２２を入力表示パネル１３に接続し、この第１、第２のフイルム配線基板２１、２２を接続基板２０に接続し、この接続基板２０の接続フイルム２３をメイン回路基板９に接続すれば良いので、接続作業および配線の引き回しが容易にできる。
【００４９】
特に、この接続回路部材１４は、第１、第２の各フイルム配線基板２１、２２に入力表示パネル１３を駆動する駆動素子２５をそれぞれ設けていることにより、駆動素子２５をメイン回路基板９に設ける必要がないので、メイン回路基板９の実装密度を下げることができると共に、入力表示パネル１３のパネル面積を広くすることができ、これによりタッチ入力装置７の入力面積を大きくすることができる。
【００５０】
また、第１、第２の各フイルム配線基板２１、２２は、その入力側に位置する第２配線部２７側を接続基板２０に重ねて配置した状態で相互に電気的に接続する際、各駆動素子２５が接続基板２０に設けられた各逃げ孔２０ｃ、２０ｄに挿入して配置されるので、これによっても第１、第２の各フイルム配線基板２１、２２と接続基板２０との厚みを薄く抑えることができる。
【００５１】
一方、ホルダ部材１５のパネル保持部２８は、メイン回路基板９に設けられた開口部１１に配置され、このパネル保持部２８には、入力表示パネル１３を保護する補強板３０が設けられているので、入力表示パネル１３の強度が弱くても、補強板３０によって入力表示パネル１３の強度を補強することができ、これにより入力表示パネル１３をパネル保持部２８に確実に且つ強固に保持することができる。
【００５２】
このため、入力表示パネル１３のタッチパネル１６を入力ペンで入力操作する際、タッチパネル１６および液晶表示パネル１７が撓むのを補強板３０によって確実に防ぐことができ、これによりタッチパネル１６を良好にタッチ操作することができる。この場合、補強板３０はステンレスなどの金属板を用いても、多数の孔３０ｂが設けられていることにより、補強板３０全体の重量を軽減し、タッチ入力装置７全体の重量を軽減することができる。
【００５３】
また、パネル保持部２８には、メイン回路基板９における開口部１１の縁部に係脱可能に係合する複数の固定フック３１、３２が設けられていることにより、パネル保持部２８をメイン回路基板９の開口部１１に取り付ける際に、パネル保持部２８をメイン回路基板９の開口部１１に配置させて複数の固定フック３１、３２をメイン回路基板９における開口部１１の縁部に係止させるだけで、簡単に且つ確実にパネル保持部２８をメイン回路基板９の開口部１１に取り付けることができる。
【００５４】
この場合、複数の固定フック３１、３２のうち、パネル保持部２８の左右両側に位置する固定フック３１は、図１０（ａ）に示すように、メイン回路基板９の開口部１１における縁部の上面（図２では紙面の裏面）を係脱可能に係止し、パネル保持部２８の上辺側に位置する固定フック３２は、図１０（ｂ）に示すように、メイン回路基板９の開口部１１における縁部の下面（図２では紙面の表面）を係脱可能に係止するので、複数の固定フック３１、３２によってメイン回路基板９の開口部１１における縁部を上下方向から挟み付けることができ、これにより確実にメイン回路基板９にパネル保持部２８を固定することができる。
【００５５】
さらに、接続保持部２９に、メイン回路基板９の開口部１１と反対側に位置するメイン回路基板９の縁部に係脱可能に係合する補助フック３３が設けられているので、この補助フック３３によって簡単に且つ確実に接続保持部２９をメイン回路基板９の開口部１１に取り付けることができる。この場合、補助フック３３は、接続保持部２９の上辺部からメイン回路基板９の開口部１１と反対側に位置するメイン回路基板９の縁部に向けて電子部品９ａ〜９ｄを避けながら延びるアーム部３３ａと、このアーム部３４の先端部に設けられたフック部３３ｂとを備え、このフック部３３ｂがメイン回路基板９を横切った状態でメイン回路基板９の縁部に係止されるので、確実にメイン回路基板９に接続保持部２９を固定することができる。
【００５６】
なお、上記実施形態では、電子機器として、電子辞書に適用した場合について述べたが、必ずしも電子辞書である必要はなく、例えば携帯情報端末機（ＰＤＡ：パーソナルデジタルアシスタント）、携帯型のパーソナルコンピュータなどの電子機器に広く適用することができる。
【図面の簡単な説明】
【００５７】
【図１】この発明を電子辞書に適用した一実施形態を示した正面図である。
【図２】図１の電子辞書の第１ケースに組み込まれるメイン回路基板とタッチ入力装置とを示した拡大裏面図である。
【図３】図２のメイン回路基板を示した拡大裏面図である。
【図４】図２のタッチ入力装置を表裏反転させて示した拡大正面図である。
【図５】図４の入力表示パネルを示し、（ａ）はその分解斜視図、（ｂ）は図４の要部を示した拡大断面図である。
【図６】図４のタッチ入力装置の入力表示パネルと接続回路部材とを接続した状態を示した拡大正面図である。
【図７】図６における接続回路部材の接続基板を示した拡大正面図である。
【図８】図６における接続回路部材の第１、第２の各フイルム配線基板と入力表示パネルとを接続した状態を示した拡大正面図である。
【図９】図４のタッチ入力装置のホルダ部材を示した拡大正面図である。
【図１０】図９のホルダ部材に設けられた各フックを示し、（ａ）はパネル保持部の左右両側に設けられた固定フックを示した図９のＢ−Ｂ矢視における拡大断面図、（ｂ）はパネル保持部の上辺部に設けられた固定フックを示した図９のＣ−Ｃ矢視における拡大断面図、（ｃ）は接続保持部に設けられた補助フックを示した図９のＡ部における拡大側面図である。
【図１１】図９のパネル保持部に配置されて入力表示パネルの強度を補強する補強板を示した拡大裏面図である。
【図１２】図２のＡ−Ａ矢視における要部の拡大断面図である。
【符号の説明】
【００５８】
１  第１ケース
２  第２ケース
３  ヒンジ部
４  入力部
６  キー入力装置
７  タッチ入力装置
８  表示部
９  メイン回路基板
１１  開口部
１３  入力表示パネル
１４  接続回路部材
１５  ホルダ部材
１６  タッチパネル
１７  液晶表示パネル
２０  接続基板
２１、２２  第１、第２の各フイルム配線基板
２３  接続フイルム
２５  駆動素子
２８  パネル保持部
２９  接続保持部
３０  補強板
３１、３２  固定フック
３３  補助フック
【図１】
0005012464.tif 000002
【図２】
0005012464.tif 000003
【図３】
0005012464.tif 000004
【図４】
0005012464.tif 000005
【図５】
0005012464.tif 000006
【図６】
0005012464.tif 000007
【図７】
0005012464.tif 000008
【図８】
0005012464.tif 000009
【図９】
0005012464.tif 000010
【図１０】
0005012464.tif 000011
【図１１】
0005012464.tif 000012
【図１２】
0005012464.tif 000013